(57)【要約】      （修正有）【課題】フラットケーブルをより強固に固定できる電気コネクタ構造を提供する。【解決手段】両側にそれぞれ切り溝２０２があるフラットケーブル２００を前端から差し込み固定させる電気コネクタ構造は、接続座体１０、接続座体内に収納された複数の端子、接続座体に取りつけられた蓋板２０、及び一対の留め具を備え接続座体は、その両側に一対の留め具を収納するための一対の収納スロット１４１，１４２を設ける。蓋板には、底部にある円形柱状の一対の制動軸２３が設けられ、一対の留め具は、それぞれストップアーム４１、ボトムアーム４２、及びストップアーム４１とボトムアーム４２の中間部をつなぐための接合段を備え、ストップアーム４１の前端は切り溝の上方に、制動軸は、ストップアーム４１の後端とボトムアーム４２の後端との間に位置するよう設ける。以上により、蓋板２０を閉めたとき、制動軸２３がストップアーム４１の後端を上へ押し上げ、ストップアーム４１の前端がフラットケーブル２００の一対の切り溝２０２へ嵌合される。【選択図】図４
0003161716.tif 000002
【実用新案登録請求の範囲】
【請求項１】
両側にそれぞれ切り溝が設けられるフラットケーブルを前端から差し込み、固定するための電気コネクタ構造であって、
接続座体と、複数の端子と、蓋板と、一対の留め具と、を備え、前記接続座体は、前記フラットケーブルを挿入させるための開口が設けられた本体部と、前記本体部から後方へ延在する一対の側壁と、前記本体部を貫通してなる複数の端子スロットと、前記複数の端子スロットの両端に近設される一対の収納スロットと、を備え、
前記複数の端子は、前記接続座体に設けられる前記複数の端子スロットに収容され、
前記蓋板は、前記蓋板を前記一対の側壁に回動可能に取り付ける為の一対のシャフトと、前記一対のシャフトの内側に近設される円形柱状の一対の制動軸と、を備え、
前記一対の留め具は、それぞれストップアームと、ボトムアームと、前記ストップアームと前記ボトムアームの中間部を接合させる接合段とを備え、前記一対の留め具は、前記フラットケーブルの前記切り溝と同一垂直面に位置する前記収容スロットに収容され、前記ストップアームの前端は前記切り溝の上方に位置し、前記一対の制動軸は、前記ストップアームと前記ボトムアームの後端に位置するように設けられ、
前記蓋板を閉蓋したとき、前記一対の制動軸は、それぞれ前記ストップアームの後端を上方へ押し上げ、前記ストップアームの前端を前記切り溝へ嵌合させるように設けられていることを特徴とする電気コネクタ構造。
【請求項２】
更に、一対の固定ユニットが設けられ、前記一対の固定ユニットは、それぞれ前記一対の側壁の底部に嵌入される基部と、前記基部の外縁から上方へ伸びたサイドストッパーと、前記基部の内縁から上方へ延伸後、後方へ伸びた固定アームを有し、前記基部は、電子回路板に溶接されていることを特徴とする請求項１に記載の電気コネクタ構造。
【請求項３】
前記一対の固定ユニットは、それぞれ前記固定アームの前方に横向き部を更に有し、前記横向き部は外側方向へ水平に延伸して設けられていることを特徴とする請求項２に記載の電気コネクタ構造。
【請求項４】
前記一対の側壁は、それぞれ前記基部を嵌合させるために、その底面に設けられた底槽と、その底面から上方へ凹設した縦向き溝と、前記縦向き溝の頂面から外側へ伸びた横向き溝を有し、前記固定アームは、前記縦向き溝内に嵌入固定され、前記横向き部は、前記横向き溝内に嵌入されていることを特徴とする請求項３に記載の電気コネクタ構造。
【請求項５】
前記蓋板は、前記一対の制動軸間の底部に間隔をおいて設けられた複数の内軸と、両側面に設けられた一対の嵌合ブロックを備え、前記一対の側壁は、それぞれ内側に嵌合溝が設けられ、前記一対の嵌合ブロックは、前記嵌合溝に嵌合されることを特徴とする請求項１に記載の電気コネクタ構造。
【請求項６】
前記複数の端子は、それぞれ上アームと、後端に溶接部が設けられる下アームと前記上アームと前記下アームの中間部を接合させるための接合段を有し、前記複数の内軸は、前記上アームの後端部と前記下アームの後端部との間に嵌合されていることを特徴とする請求項５に記載の電気コネクタ構造。
【請求項７】
前記複数の端子の前記上アームは、それぞれ後端の底面に凹弧部が設けられていることを特徴とする請求項６に記載の電気コネクタ構造。
【請求項８】
前記一対の留め具の前記ストップアームは、それぞれ後端の底面に凹弧部が設けられていることを特徴とする請求項１に記載の電気コネクタ構造。
【請求項９】
前記ボトムアームの後端には、それぞれ電子回路板に溶接させるための溶接部が設けられていることを特徴とする請求項１に記載の電気コネクタ構造。
【考案の詳細な説明】
【技術分野】
【０００１】
本考案は、電気コネクタ構造に関し、特に、フレキシブルフラットケーブルと電気的に接続し、固定させるための電気コネクタ構造に関する。
【背景技術】
【０００２】
従来のフレキシブルフラットケーブルを固定するためのコネクタとして、例えば特許文献１に示すものが開示されている。このコネクタ構造においては、プラスチック本体に一対の固定ブロックを突設すると共に、フラットケーブルの両側に、固定ブロックに対応した一対の固定孔が設けられており、固定ブロックと対応する固定孔によってフラットケーブルを固定させている。
【先行技術文献】
【特許文献】
【０００３】
【特許文献１】台湾特許第Ｍ３５９０６５号公報
【考案の概要】
【考案が解決しようとする課題】
【０００４】
しかしながら、上述した従来の電気コネクタは体積が小さい為、固定ブロックの強度が不十分なことから破損が容易となり、フラットケーブルがコネクタから抜け易いという問題がある。
また、プラスチック本体に固定ブロックを設けることにより、プラスチック本体の金型開発における困難さを増す。    
【０００５】
本考案は、フラットケーブルをコネクタ内部に容易に抜けないようにしっかりと固定する該コネクタ構造を提供することを目的とする。
【課題を解決するための手段】
【０００６】
上述の課題を解決するために、本考案は、両側にそれぞれ切り溝が設けられるフラットケーブルを前端から差し込み、固定するための電気コネクタ構造であって、接続座体と、複数の端子と、蓋板と、一対の留め具と、を備え、前記接続座体は、前記フラットケーブルを挿入させるための開口が設けられた本体部と、前記本体部から後方へ延在する一対の側壁と、前記本体部を貫通してなる複数の端子スロットと、前記複数の端子スロットの両端に近設される一対の収納スロットと、を備え、前記複数の端子は、前記接続座体に設けられる前記複数の端子スロットに収容され、前記蓋板は、前記蓋板を前記一対の側壁に回動可能に取り付ける為の一対のシャフトと、前記一対のシャフトの内側に近設される円形柱状の一対の制動軸と、を備え、前記一対の留め具は、それぞれストップアームと、ボトムアームと、前記ストップアームと前記ボトムアームの中間部を接合させる接合段とを備え、前記一対の留め具は、前記フラットケーブルの前記切り溝と同一垂直面に位置する前記収容スロットに収容され、前記ストップアームの前端は前記切り溝の上方に位置し、前記制動軸は、前記ストップアームと前記ボトムアームの後端に位置するように設けられ、前記蓋板を閉蓋したとき、前記一対の制動軸は、それぞれ前記ストップアームの後端を上方へ押し上げ、前記ストップアームの前端を前記切り溝へ嵌合させるように設けられていることを特徴とする電気コネクタ構造を提供する。
【考案の効果】
【０００７】
本考案によれば、フラットケーブルを固定するための留め具が、金属製である為壊れ難く、フラットケーブルが容易に抜けてしまうことを防止できる。
【０００８】
蓋板を閉蓋すると、留め具のストップアームが連動し、フラットケーブルを係止させる構造のため、フラットケーブルの固定が簡単である。  
【図面の簡単な説明】
【０００９】
【図１】本考案の電気コネクタ構造の立体分解図である。
【図２】本考案の電気コネクタ構造がフラットケーブルを収納していない立体組合図である。
【図３】本考案の電気コネクタ構造がフラットケーブルを収納した立体組合図である。
【図４】本考案の電気コネクタ構造の蓋板を閉めていない断面図である。
【図５】本考案の電気コネクタ構造の蓋板を閉めた断面図である。
【考案を実施するための形態】
【００１０】
以下、本考案の実施形態を図面に基づいて説明する。なお、以下の説明は例示にすぎず、本考案の範囲を制限するものではない。
【００１１】
図１〜図３は、それぞれ本考案の電気コネクタ構造の立体分解図と立体組合図である。
【００１２】
コネクタ構造１００は、接続座体１０、蓋板２０、複数の端子３０、一対の留め具４０及び固定ユニット５０からなり、フラットケーブル２００と電気的に接続されると共に、フラットケーブル２００を固定させる。
【００１３】
フラットケーブルの両側には、それぞれ切り溝２０２が設けられており、底部には複数の導線(図示せず)が露出している。
【００１４】
また、フラットケーブル２００は、コネクタ構造１００の前端から差込まれる。
【００１５】
接続座体１０は、本体部１１、本体部１１の両側から後方へ伸在した一対の側壁１２、本体部１１の底部から後方へ伸びた延伸部１３、本体部１１と延伸部１３をそれぞれ貫通してなる複数の端子スロット１３１、及び複数の端子スロット１３１の両側に設けられた一対の収納スロット１４を有し、本体部１１には、フラットケーブル２００を差し込むための開口１１２がその前端面に設けられている。また、収納スロット１４は、上スロット１４１と下スロット１４２とで構成されている。  
【００１６】
蓋板２０は、その両側に設けられる一対のシャフト２１、円形柱状でシャフト２１の内側、且つ一対の制動軸２３の間に設けられる一対の制動軸２３、底部に間隔をおいて設けられた複数の内溝２４０、内溝２４０内にそれぞれ設けられた複数の内軸２４、及び両端面に外側へ突出するように設けられた一対の嵌合ブロック２５を有する。
【００１７】
一対のシャフト２１は、一対の側壁１２の内側に回動可能に取り付けられる。
【００１８】
また、一対の側壁１２の内側には、それぞれ嵌合溝１２６が設けられ、一対の嵌合ブロック２５は、それぞれ一対の嵌合溝１２６に嵌合される。  
【００１９】
複数の端子３０は、接続座体１０の複数の端子スロット１３１内に収容される。
【００２０】
一対の留め具４０は、それぞれ一対の収納スロット１４内に収納され、フラットケーブル２００の切り溝２０２と同じ垂直面になるよう設けられている。
【００２１】
各留め具４０は、ストップアーム４１、ボトムアーム４２、及びストップアーム４１とボトムアーム４２の中間部を接合させるための接合段４３を有し、ストップアーム４１は、収納スロット１４の上スロット１４１内に嵌入され、ボトムアーム４２は、収納スロット１４の下スロット１４２内に嵌入固定される。
【００２２】
制動軸２３は、ストップアーム４１の後端とボトムアーム４２の後端との間に位置するよう設けられている。ストップアーム４１は、それぞれ後端の底面にある凹弧部４１２、及びその前端から下方へ突出した嵌合部４１４を有し、ストップアーム４１の前端にある嵌合部４１４は、切り溝２０２の上方に位置し、制動軸２３は凹弧部４１２内に位置するよう設けられている。ボトムアーム４２の後端には、それぞれ電子回路板（図示なし）に溶接させるための溶接部４２２が設けられている。また、図４に示すように、ボトムアーム４２の前端には、それぞれ下スロット１４２内に固定させるための干渉部４２４が設けられボトムアーム４２の中間部には、フラットケーブル２００の前縁を支えるための底上げ部４２６が設けられている。  
【００２３】
蓋板２０を閉めたとき、各制動軸２３が各ストップアーム４１の後端を上方へ押し上げ、ストップアーム４１の嵌合部４１４をフラットケーブル２００の一対の切り溝２０２に嵌合させるように設けられている。またその際、接合段４３は、蓋板の回動における支点となる。  
【００２４】
電気コネクタ構造１００は、電気コネクタ構造１００を固定させるため、一対の固定ユニット５０を更に有し、各固定ユニット５０は、一対の側壁１２の底部に嵌合される基部５１、基部５１の外縁から上方へ伸びたサイドストッパー５３、及び基部５１の内縁から上方へと延伸後、屈曲して後方へ伸びた固定アーム５２を備え、一対の基部５１は、固定ユニット５０の垂直方向への移動を抑止させるため、電子回路板（図示せず）に溶接されている。
【００２５】
本実施例においては、各固定ユニット５０は、固定アーム５２の前方に外側へ水平に延伸した横向き部５４が更に設けられている。
【００２６】
上述の固定ユニット５０構造に合わせて、一対の側壁１２には、それぞれ底面に設けられる底槽１２１、底面から上方へ凹設された縦向き溝１２２、縦向き溝１２２の頂面から外側へ伸びた横向き溝１２４が備えられ、基部５１は底槽１２１に嵌合され、固定アーム５２は該縦向き溝１２２内に嵌入固定され、横向き部５４は横向き溝１２４内に嵌入される。  
【００２７】
本考案の複数の端子３０について説明する。
【００２８】
複数の端子３０は、それぞれ上アーム３１、下アーム３２、上アーム３１と下アーム３２の中間部を接合させるための接合段３３を有し、下アーム３２は、電子回路板の電子回路（図示せず）に溶接されるための溶接部３２２がその後端が設けられる。
【００２９】
また、蓋板２０の複数の内軸２４は、上アーム３１の後端部と下アーム３２の後端部との間に位置するよう設けられている。
【００３０】
複数の端子３０の上アーム３１は、それぞれ後端の底面に凹弧部３１２が設けられ、蓋板２０の複数の内軸２４は、上アーム３１の凹弧部３１２内に位置するよう設けられている。  
【００３１】
図４に示すのは、本考案の電気コネクタ構造の蓋板を閉めていない状態の断面図である。
【００３２】
制動軸２３は、円柱体の上下の弓形部を部分的に取り除いた形（ｓｅｇｍｅｎｔ  ｏｆ  ｃｉｒｃｌｅ）で、縦径と横径の長さが異なり、蓋板２０を閉めていない状態のとき、制動軸２３は横向きになり、その高さは、短い方の直径となる。  
【００３３】
図５に示すのは、本考案の電気コネクタ構造の蓋板を閉蓋したときの断面図である。
【００３４】
制動軸２３は、縦向きになり、その高さは、長い方の直径となる。これにより、留め具４０のストップアーム４１の後端部は、上方向へ押し上げられ、ストップアーム４１の前端を下方向へ動かす。またその際、ストップアーム４１の前端は、フラットケーブル２００の切り溝２０２に嵌合されるので、フラットケーブル２００は、電気コネクタ構造１００に容易に抜けないように係止される。なお、本考案の制動軸２３は、カム軸、楕円形軸などでもよい。  
【符号の説明】
【００３５】
１００…電気コネクタ構造
１０…接続座体  
１１…本体部                
１１２…開口      
１２…側壁      
１２１…底槽                  
１２２…縦向き溝    
１２４…横向き溝                
１２６…嵌合溝    
１３…延伸部                
１３１…端子スロット    
１４…収納スロット    
１４１…上スロット                  
１４２…下スロット      
２０…蓋板
２１…シャフト                  
２５…嵌めブロック    
２３…制動軸                
２３０…軸スロット      
２４…内軸                  
２４０…内溝      
３０…端子
３１…上アーム                  
３１２…凹弧部    
３２…下アーム                  
３２２…溶接部    
３３…接合段    
４０…留め具
４１…ストップアーム                  
４３…接合段    
４１２…凹弧部                
４１４…嵌合部    
４２…ボトムアーム                  
４２２…溶接部    
４２４…干渉部                
４２６…底上げ部    
５０…固定ユニット
５１…基部                  
５２…固定アーム    
５３…サイドストッパー                
５４…横向き部    
２００…フラットケーブル                    
２０２…切り溝      
【図１】
0003161716.tif 000003
【図２】
0003161716.tif 000004
【図３】
0003161716.tif 000005
【図４】
0003161716.tif 000006
【図５】
0003161716.tif 000007